【事件の表示】
　特許第５８５１４７９号発明「ガス濃度検出センサー」の特許異議申立事件について、次のとおり決定する。
【結　論】
　特許第５８５１４７９号の特許請求の範囲を訂正請求書に添付された訂正特許請求の範囲のとおり、訂正後の請求項〔１−３〕について訂正することを認める。
　特許第５８５１４７９号の請求項に係る特許を維持する。
【理　由】
第１　手続の経緯
　特許第第５８５１４７９号の請求項１ないし３に係る特許についての出願は、２０１１年（平成２３年）５月１８日（国内優先権主張　平成２２年５月１８日）に出願された特願２０１１―１１１５０８号の一部を、平成２５年１２月１０日に新たに出願したものであって、平成２７年１２月１１日にその特許権の設定登録がされ、その後、その特許について、特許異議申立人飯島　秀子により特許異議の申立てがされ、平成２８年１０月７日付けで取消理由が通知され、その指定期間内である平成２８年１２月９日に意見書の提出及び訂正の請求があり、その訂正の請求に対して特許異議申立人飯島　秀子から平成２９年１月１７日付けで意見書が提出されたものである。
第２　訂正の適否についての判断
１　訂正の内容
　本件訂正請求による訂正の内容は以下のとおりである。
　請求項１に係る「前記内側カバーの底部に前記被測定ガスの流れを許容する孔が設けられていない、」を「前記内側カバーの底部に前記被測定ガスの流れを許容する孔が設けられておらず、前記外側カバーは、前記外側カバーの側部に配設された前記外側ガス孔を有しており、該側部に配設された外側ガス孔は、前記内側カバーの底部の先端より前記ハウジング側に位置する、」に訂正する。
　また、請求項１を直接又は間接的に引用する請求項２及び３も請求項１が訂正されたことに伴い訂正された。
２　訂正の目的の適否、一群の請求項、新規事項の有無、及び特許請求の範囲の拡張・変更の存否
　上記訂正事項に関連する記載として、本件図２から図４には、本件の具体例として「外側ガス孔１４４ａ」が「内側カバー１３０」の底部の先端よりも「ハウジング１０２」側に位置している点が見て取れるから、「外側ガス孔」の配置として「前記内側カバーの底部の先端より前記ハウジング側に位置する」構成を用いてなる発明は図面に記載されているものと認められる。
上記訂正は、明細書、特許請求の範囲又は図面に記載された事項の範囲内において「外側ガス孔」の配置を「前記内側カバーの底部の先端より前記ハウジング側」の位置に限定したものといえるから、特許請求の範囲の減縮を目的とするものであって、新規事項の追加に該当せず、また、実質上特許請求の範囲を拡張し、又は変更するものではない。
　そして、これら訂正は一群の請求項に対して請求されたものである。
３　小括
　以上のとおりであるから、本件訂正請求による訂正は特許法第１２０条の５第２項第１号に掲げる事項を目的とするものであり、かつ、同条第４項、及び、同条第９項において準用する同法第１２６条第４項から第６項までの規定に適合するので、訂正後の請求項〔１−３〕について訂正を認める。
第３　特許異議の申立てについて
１　本件発明
　本件訂正請求により訂正された訂正請求項１〜３に係る発明（以下「本件訂正発明１〜３」という。）は、その特許請求の範囲の請求項１〜３に記載された次の事項により特定されるとおりのものである。（以下、当審にて分節して「（Ａ）」などの見出しを付けて整理した。）
「　【請求項１】
（Ａ）先端が露出した状態でハウジングに保持され、被測定ガスの所定のガス濃度を検出可能なセンサー素子と、
（Ｂ）前記ハウジングに固定され、前記センサー素子の先端を保護する保護カバーと、
（Ｃ）前記保護カバーの構成要素の一つであって、前記センサー素子の先端を覆うと共に前記被測定ガスの流れを許容する内側ガス孔を有する内側カバーと、
（Ｄ）前記保護カバーの構成要素の一つであって、前記内側カバーを覆うと共に前記被測定ガスの流れを許容するが前記内側ガス孔とは対向していない外側ガス孔を有する外側カバーと、
　を備え、
（Ｅ）前記内側カバーのうち前記内側ガス孔が設けられた部分の外径φ１と前記外側カバーのうち前記外側ガス孔が設けられた部分の内径φ２との比φ１／φ２が０．６〜０．９であり、
（Ｆ）前記内側カバーと前記外側カバーとの間に中間保護カバーを備えず、
（Ｇ）前記内側カバーの底部に前記被測定ガスの流れを許容する孔が設けられておらず、（Ｈ）前記外側カバーは、前記外側カバーの側部に配設された前記外側ガス孔を有しており、該側部に配設された外側ガス孔は、前記内側カバーの底部の先端より前記ハウジング側に位置する、
（Ｉ）ガス濃度検出センサー。
　　【請求項２】
　前記比φ１／φ２が０．６７〜０．８７である、
　請求項１に記載のガス濃度検出センサー。
　　【請求項３】
　前記外側カバーの内径φ２が前記ハウジングの外径と略同じである、
　請求項１又は２に記載のガス濃度検出センサー。」
２　取消理由の概要
　訂正前の請求項１ないし３に係る特許に対して平成２８年１０月７日付けで特許権者に通知した取消理由の要旨は、次のとおりである。
　請求項１ないし３に係る発明は、下記引用例１ないし３に記載された発明に基づき、容易に発明をすることができたものであるから、特許法第２９条第２項の規定により特許を受けることができないものであり、請求項１に係る特許は、取り消されるべきものである。
　　　　　　　　　　　　　　　　　　記
　引用例１：特開２００４−２４５８２８号公報 
　引用例２：特許第２６４１３４６号公報 
　引用例３：特開２０００−３０４７１９号公報 
 （尚、引用例１は、飯島秀子申立による甲第１号証、引用例２及び３は、飯島秀子申立による甲第３及び４号証である。）
３　引用例の記載
（１）　引用例１について
ア　「【００１２】
　
本発明は、被測定ガス中の酸素濃度やＮＯｘ濃度、ＣＯ濃度、ＨＣ濃度などを測定する各種のガスセンサに用いることができる。また、自動車エンジン等の内燃機関の排気管に設置して、燃焼制御に利用する空燃比センサとして用いることができる。
　また、ガスセンサ素子として積層型またはコップ型のいずれを採用したガスセンサについても本発明を適用することができる。
  本発明にかかる被測定ガス側カバーは、後述する実施例に示すように二重や三重構造を備える。それ以上の数のカバー部材を重ねて構成することもある。
  上記側面穴（部分開放穴も含める）の形状は、真円、楕円、長穴等、特に限定はしない。また、上記側面穴の構造としては、貫通穴、ルーバー形状等がある。」
イ「【００１４】
  
本発明にかかる第１カバー部材、第２カバー部材は共に有底円筒型（実施例１等）で先端側に底面や底穴を備えた形のものや、他の実施例における図１６、図２０のように、底面のない開放された先端を備えた形状のものがある。
  また、第１カバー部材や第２カバー部材が、多層構成の被測定ガス側カバーにおける最も内側や外側のカバー部材になることもあれば（実施例１参照）、図１９、図２０のように、他のカバー部材が内側にあったり、外側にあったりする構成もある。
  また、実施例１のように、部分開放穴が軸方向の最先端の側面穴となることもあれば、別の側面穴を更に先端側に設けた構成を採ることもある。」
ウ　「【００２５】
　図２に示すごとく、
上記被測定ガス側カバー３１は、第１カバー部材１と該第１カバー部材１の外方を覆う第２カバー部材２とを有し、また上記第１カバー部材１及び上記第２カバー部材２の側面１１、２１は被測定ガスを上記被測定ガス側カバー３１の内部に導入または排出する複数の側面穴２０、１３、１４を有する。
　上記第２カバー部材２の側面２１にある６個の側面穴２０は上記第１カバー部材１の側面１１に対し部分的に対向した部分開放穴２０であって、上記部分開放穴２０の軸方向における先端位置２０１及び基端位置２０２との間に上記第１カバー部材１の先端位置１２１が存在する。
【００２６】
　以下、詳細に説明する。
　まず、ガスセンサ３の全体構成について図１から説明する。
　本例のガスセンサ３は、筒型のハウジング３０と、
該ハウジング３０の先端側に固定した被測定側ガス側カバー３１と、
上記ハウジング３０内にガスセンサ素子３５が気密的に封止固定され、ガスセンサ素子３５の
先端は被測定ガス側カバー３１の内部に露出する。
エ　「【００２９】
　上記被測定ガス側カバー３１について説明する。
　
図２に示すごとく、本例の被測定ガス側カバー３１は、第１カバー部材１と第２カバー部材２とからなる二重構造カバーである。
　上記第１及び第２のカバー部材１、２における基端は、径方向外側に曲折したフランジ部１９、２９よりなる。このフランジ部１９、２９をハウジング３０の先端側底面３００に設けた環状溝３０１にはめ込んでかしめ固定することで、第１及び第２カバー部材１、２のハウジング固定が実現される。
【００３０】
  
外側に位置する第２カバー部材２はハウジング３０に固定された基端から先端まで径が均一なストレート形状の有底筒型部材よりなる。
  図４に示すごとく、被測定ガス側カバー３１を外側から眺めると、円形の部分開放穴２０から第１カバー部材１１の先端位置１２１が見える。」
オ　「【００３２】
　本例にかかる第１カバー部材１、第２カバー部材２の各部寸法を、図３（ａ）、（ｂ）に記載する。
　ａ１１（第２カバー部材２の軸方向に沿った長さ）＝２３ｍｍ
　ａ１２（部分開放穴２０の軸方向中心と第２カバー部材２の先端位置２２１との距離）＝３．５ｍｍ
　ａ１３（第２カバー部材２の底面２２の外径）＝１２ｍｍ
　ａ１４（第１カバー部材１の底面１２の外径）＝７ｍｍ
　ａ１５（第２カバー部材２の底穴２２０の直径）＝１．２ｍｍ
　ａ１６（第１カバー部材１の３つの底穴１２０は円周１２５上に等間隔に配置されており、その円周１２５の径、図３（ｂ）参照）＝３ｍｍ
　
ａ１７（第１カバー部材１の当接部分１１９における外径）＝１１ｍｍ
　
ａ１８（第１カバー部材１の側面穴形成部１１７における外径）＝９ｍｍ
　ａ１９（第１カバー部材１の側面穴形成部１１７の先端位置と底面１２の先端位置１２１との距離）＝６ｍｍ
　ａ２０（第１カバー部材１の側面穴形成部１１７における側面穴の中心位置と底面１２の先端位置１２１との距離）＝８ｍｍ
　ａ２１（第１カバー部材１における軸方向に位置が異なる二つの側面穴１３と１４との間の中心距離）＝３ｍｍ
　ａ２２（当接部分１１９または２９０の軸方向距離）＝７ｍｍ
　ａ２３（第１カバー部材１の軸方向に沿った長さ）＝２１ｍｍ
　ａ２４（テーパー部１１８の開き角）＝９０°
　ａ２５（テーパー部１１６の開き角）＝４０°」
カ　図２
キ　図３
ク　上記アないしキから以下の点が理解される。
（ア）上記アより、引用例１の「ガスセンサ素子３５」は、被測定ガス中の被測定ガスの濃度を測定するものである点が理解される。
（イ）上記ウより、引用例１の「ガスセンサ素子３５」は、「ハウジング３０」内に気密的に封止固定され、その先端は、「被測定ガス側カバー３１」の内部に露出している点が理解される。
（ウ）上記ウより、「被測定ガス側カバー３１」は、「ハウジング３０」の先端側に固定されている点が理解される。
（エ）上記ウより、「被測定ガス側カバー３１」は、「第１カバー部材１」と「第１カバー部材１」の外方を覆う「第２カバー部材２」とを有し、また「第１カバー部材１」及び「第２カバー部材２」の側面１１、２１は被測定ガスを「被測定ガス側カバー３１」の内部に導入または排出する複数の「側面穴２０、１３、１４」を有している点が理解され、上記カから「第１カバー部材１」は、「ガスセンサ素子３５」の先端を覆っており、「第１カバー部材１」の側面１１に複数の「側面穴１３、１４」が形成され、「第２カバー部材２」の側面２１に複数の「側面穴２１」が形成され、「側面穴２１」は、「側面穴１３、１４」と対向していない位置にある点が見て取れるから、「被測定ガス側カバー３１」の構成要素の一つであって、「ガスセンサ素子３５」の先端を覆う「第１カバー部材１」の側面１１には、被測定ガスを「被測定ガス側カバー３１」の内部に導入または排出する複数の「側面穴１３、１４」を有している点及びが「被測定ガス側カバー３１」の構成要素の一つであって、「第１カバー部材１」を覆う「第２カバー部材２」の側面２１には、被測定ガスを「被測定ガス側カバー３１」の内部に導入または排出する複数の「側面穴２１」を「側面穴１３、１４」と対向していない位置に有している点理解される。
（オ）上記オより、「第１カバー部材１」の当接部分１１９における外径（ａ１７）が１１ｍｍであり、「第１カバー部材１」の側面穴形成部１１７における外径（ａ１８）が９ｍｍである点が理解される。
（カ）上記エより、「被測定ガス側カバー３１」は、「第１カバー部材１」と「第２カバー部材２」とからなる二重構造カバーである点が理解される。
（キ）上記（ア）ないし（カ）を総合すると、引用例１には以下の発明（以下、「引用発明１」という。）が記載されているといえる。
「ハウジング３０内に気密的に封止固定され、先端が被測定ガス側カバー３１の内部に露出している、被測定ガス中の被測定ガスの濃度を測定するガス　センサ素子３５と、
　ハウジング３０の先端側に固定された被測定ガス側カバー３１と、
　被測定ガス側カバー３１の構成要素の一つであって、ガスセンサ素子３５の先端を覆うと共に、側面１１には、被測定ガスを被測定ガス側カバー３１の内部に導入または排出する複数の側面穴１３、１４を有する第１カバー部材１と
　被測定ガス側カバー３１の構成要素の一つであって、第１カバー部材１を覆うと共に、側面２１には、被測定ガスを被測定ガス側カバー３１の内部に導入または排出する複数の側面穴２１を側面穴１３、１４と対向していない位置に有している第２カバー部材２と、
　第１カバー部材１の当接部分１１９における外径（ａ１７）が１１ｍｍであり、第１カバー部材１の側面穴形成部１１７における外径（ａ１８）が９ｍｍであり、
　被測定ガス側カバー３１は、第１カバー部材１と第２カバー部材２とからなる二重構造カバーであるガスセンサ」
（２）　引用例２について
ア　「【００１３】本発明の第３実施例を図５に示す。第３実施例では、外筒２４に先端側の孔２４ｃと根元部側の孔２４ｄを形成した例である。そして外筒２４に形成される孔２４ｃと２４ｄとの軸方向中間部に対面する位置に孔２１ｅを形成した。この実施例においても外筒２４の孔２４ｃ、２４ｄから内筒２１の孔２１ｅから内筒２１の内部に直接侵入することが防止される。この実施例では、外筒先端穴２４ｆを有している。」
イ　図５
（３）　引用例３について
ア「【０１１８】比較例２は、図１２に示すように、第１の具体例に係る保護カバー２００Ａから中間保護カバー１０４を取り外して、外側保護カバー１０２と内側保護カバー１００からなる二重構造とし、更に、耐飛水性を改善するために、内側保護カバー１００の側周面のうち、センサ素子１２と対向しない位置に内側ガス導入孔１０６を形成し、外側保護カバー１０２の側周面のうち、前記内側ガス導入孔１０６よりも後部寄りに外側ガス導入孔１１０を形成し、外側保護カバー１０２の底部にガス排出孔１４０を形成したものである。」
イ　図１２
４　判断
（１）本件訂正発明１について
ア　対比
　本件訂正発明１と引用発明１とを対比する。
（ア）引用発明１の「ガスセンサ素子３５」は、本件訂正発明１の「センサー素子」に相当する。そして、引用発明１の「ハウジング３０内に気密的に封止固定され、先端が被測定ガス側カバー３１の内部に露出している」ことは、先端が露出した状態でハウジング３０に保持されていることといえるから、引用発明１の「被測定ガス中の被測定ガスの濃度を測定するガスセンサ素子３５」と、本件訂正発明１の「被測定ガスの所定のガス濃度を検出可能なセンサー素子」とは、「先端が露出した状態でハウジングに保持され」ている点で共通している。
　そうすると、引用発明１は、本件訂正発明１の（Ａ）の構成を有しているといえる。
（イ）引用発明１の「被測定ガス側カバー３１」は、本件特許発明１の「保護カバー」に相当する。そして、引用発明１の「ガスセンサ素子３５」は、先端が「被測定ガス側カバー３１」の内部に露出しているから、「被測定ガス側カバー３１」は、「ガスセンサ素子３５」の先端を保護しているといえる。そうすると引用発明１の「被測定ガス側カバー３１」と、本件訂正発明１の「保護カバー」とは、「ハウジングに固定され」、「センサー素子の先端を保護する」点で共通している。
　そうすると、引用発明１は、本件訂正発明１の（Ｂ）の構成を有しているといえる。
（ウ）引用発明１の「第１カバー部材１」及び「側面穴１３、１４」は、本件訂正発明１の「内側カバー」及び「内側ガス孔」に相当する。そして、「被測定ガスを被測定ガス側カバー３１の内部に導入または排出する」ことは、被測定ガスの流れを許容するということであるから、引用発明１の「被測定ガス側カバー３１の構成要素の一つであって、ガスセンサ素子３５の先端を覆うと共に、側面１１には、被測定ガスを被測定ガス側カバー３１の内部に導入または排出する複数の側面穴１３、１４を有する第１カバー部材１」は、本件特許発明１の、「前記保護カバーの構成要素の一つであって、前記センサー素子の先端を覆うと共に前記被測定ガスの流れを許容する内側ガス孔を有する内側カバー」に相当する。
　そうすると、引用発明１は、本件訂正発明１の（Ｃ）の構成を有しているといえる。
（エ）引用発明１の「第２カバー部材２」及び「側面穴２１」は、本件特許発明１の「外側カバー」及び「外側ガス孔」に相当する。
　そうすると、引用発明１は、本件訂正発明１の（Ｄ）の構成を有しているといえる。
（オ）引用発明１の「第１カバー部材１」の当接部分１１９は、「第２カバー部材２」の内側の面に接しているから、第１カバー部材１の当接部分１１９における外径（ａ１７）は、「第２カバー部材２」の内径であるといえる。そうすると、引用発明１の「第１カバー部材１」の「側面穴形成部１１７」における外径（ａ１８）と「第２カバー部材２」の内径との比は、９／１１＝０．８２となるから、引用発明１の「第１カバー部材１」の「側面穴形成部１１７」における外径（ａ１８）と「第２カバー部材２」の内径との比と、本件訂正発明１の、「前記内側カバーのうち前記内側ガス孔が設けられた部分の外径φ１と前記外側カバーのうち前記外側ガス孔が設けられた部分の内径φ２との比φ１／φ２」とは、０．６〜０．９である点で共通している。
　そうすると、引用発明１は、本件訂正発明１の（Ｅ）の構成を有しているといえる。
（カ）引用発明１の「被測定ガス側カバー３１」は、「第１カバー部材１」と「第２カバー部材２」とからなる二重構造カバーであるから、引用発明１の「第１カバー部材１」と「第２カバー部材２」との間と、本件訂正発明１の「前記内側カバーと前記外側カバーとの間」とは、中間保護カバーを備えていない点で共通している。
　そうすると、引用発明１は、本件訂正発明１の（Ｆ）の構成を有しているといえる。
（キ）以上のことから、本件訂正発明１と引用発明１とは、つぎの相違点で相違し、その余の点で一致しているものである。
＜相違点１＞
　本件訂正発明１の（Ａ）〜（Ｉ）の構成は、水の付着や排ガスの流れ等の作用効果に相互に関連しており、一体的に扱うべきところ、本件訂正発明１は、（Ａ）〜（Ｉ）の構成を有しているのに対し、引用発明１は、上記（Ａ）〜（Ｉ）の内、（Ｇ）及び（Ｈ）の構成を有しておらず、結果として、上記（Ａ）〜（Ｉ）のすべての構成を有していない点。
イ　相違点１の検討
（ア）引用発明１において特定されているそれぞれの構成は、本件訂正発明１と同様に相互に関連している。したがって、他の引用例に本件訂正発明１の構成の一部が記載されているとしても、動機や阻害要因がないか慎重な検討をした上で、引用例１に他の引用例記載の構成が適用できるか判断することが要求される。そこで検討すると、引用例３には、比較例として、図１２に内側カバーの底部に被測定ガスの流れを許容する孔が設けられていない構成、即ち本件訂正発明１の（Ｇ）の構成が記載されている（上記１（３）参照）。そして、図１２より、引用例３の外側ガス導入孔１１０が、内側保護カバーの底部の先端より前記ハウジング側とは反対側に位置している構成、即ち、本件訂正発明１の（Ｈ）の構成が見て取れる。
　しかしながら、引用例３の内側カバーのうち内側ガス孔が設けられた部分の外径φ１と外側カバーのうち外側ガス孔が設けられた部分の内径φ２との比φ１／φ２が０．６〜０．９となる構成、即ち、本件訂正発明１の（Ｅ）の構成は記載されていないから、引用例３には、本件訂正発明１の構成（Ａ）〜（Ｉ）のすべての構成を満たすものが記載されていない。
（イ）また、引用例２には、内筒２１（本件訂正発明１の「内側カバー」に相当。）の底部に孔を設けない構成は記載されているものの、外筒２４（本件訂正発明１の「外側カバー」に相当）の孔２４ａをハウジング側に設ける点及び内筒２１の孔２１ａが設けられた部分の内筒２１の外径や外筒２４の孔２４ａが設けられた部分の外筒２４の内径は特定されていないから、本件訂正発明１の（Ｅ）及び（Ｈ）は記載されていない。
　そうすると、引用例２には、本件訂正発明１の構成（Ａ）〜（Ｉ）の全ての構成を満たすものの記載は認められない。
（ウ）そして、飯島秀子申立における甲第２号証（特開昭６３−０７８２６５号公報）には、内側保護管（本件訂正発明１の「内側カバー」に相当。）の底部に被測定ガスの流れを許容する孔が設けられていない構成において、外側保護管（本件訂正発明１の「外側カバー」に相当）の通気孔６２ａが、内側保護管の底部の先端より前記ハウジング側に位置する構成が記載されている。
　しかしながら、甲第２号証の上記構成において内側保護管の通気孔６１ａと外側保護管の通気孔６２ａとは対抗しており、また、内側保護管の通気孔６１ａが設けられた部分の内側保護管の外径や外側保護管の通気孔６２ａが設けられた部分の外側保護管の内径は特定されていないから、本件訂正発明１の（Ｄ）及び（Ｅ）が記載されていない。
　そうすると、甲第２号証にも本件訂正発明１の構成（Ａ）〜（Ｉ）のすべての構成を満たすものの記載は認められない。
（エ）上記（ア）から（ウ）より、引用発明１、引用例２及び３に記載された発明、甲第２号証に記載された発明には、本件訂正発明１の（Ａ）〜（Ｉ）のすべての構成を有するものの記載は認められない。
（オ）上記（ア）で検討したとおり、引用例３には、本件訂正発明１の（Ｇ）及び（Ｈ）の構成が記載されている。
　また、引用例１の段落【００４１】及び図７の記載には、（１）の構成として、第１カバー部材１（本件訂正発明１の「内側カバー」に相当。）の先端位置が第２カバー部材２（本件訂正発明１の「外側カバー」に相当。）の部分開放穴２０（本件訂正発明１の「外側ガス孔」に相当。）の先端位置２０１より先端側に有る構成が比較例として記載されている。
　しかしながら、引用例１の図７の（１）に記載された構成も、引用例３の図１２に記載された構成も、いずれも比較例として記載されたものであるから、引用発明１よりも性能の劣る比較例である図７の（１）の構成に、引用例３に性能の劣る比較例として記載された図１２に記載された構成を組み合わせるには、その動機付けがあるとはいえない。
（カ）本件訂正発明１の効果について
　本件訂正発明１の効果である、応答特性及び耐被水性が良くなるという効果は、図７、図８及びその説明において裏付けられている。そして、図７、図８及びその説明において使用するガス濃度検出センサーは、図２及び図４に示されるガス濃度検出センサーであり、該ガス濃度検出センサーの内、効果の認められるガス濃度検出センサーは本件訂正発明１の（Ａ）〜（Ｉ）のすべての構成を有していることから、本件訂正発明１の（Ａ）〜（Ｉ）のすべての構成を有しているガス濃度検出センサーが、図７、図８及びその説明で記載された効果を有するものであるといえ、該効果は引用発明１、引用例２、３及び甲第２号証に記載された発明から容易に予測されるものでないことも明らかである。
（キ）小括
　以上のことから、本件訂正発明１のすべての構成を有する構成は、引用発明１、引用例２、３及び甲第２号証には記載されておらず、また、本件訂正発明１は引用発明１に引用例３を組み合わせる動機付けがないから。本件訂正発明は引用発明１、引用例２、３及び甲第２号証に記載された発明に基づいて、当業者が容易に想到できたものであるとはいえない。
（２）本件訂正発明２及び３について
　本件訂正発明２は、本件訂正発明１の、「前記内側カバーのうち前記内側ガス孔が設けられた部分の外径φ１と前記外側カバーのうち前記外側ガス孔が設けられた部分の内径φ２との比φ１／φ２」を、「０．６７〜０．８７」に更に限定したものであって、本件訂正発明１の（Ｅ）を限定したものであるといえる。また、本件訂正発明３は、「前記外側カバーの内径φ２が前記ハウジングの外径と略同じ」であると、本件訂正発明１に更に限定を付加したものである。
　そうすると、これら限定事項は、引用発明１に記載されているものの、本件訂正発明２及び３と、引用発明１とを比較すると、引用発明１には、やはり（Ｇ）及び（Ｈ）の構成が記載されていないから、上記（１）と同様の理由により、本件訂正発明２及び３は、引用発明１、引用例２及び３に記載された発明及び甲第２号証に記載された発明に基づいて、当業者が容易に想到できたものであるとはいえない。
（３）特許異議申立人の意見について
　特許異議申立人飯島秀子は、平成２９年１月１７日付け意見書において、訂正事項により追加された「前記外側カバーは、前記外側カバーの側部に配設された前記外側ガス孔を有しており、該側部に配設された外側ガス孔は、前記内側カバーの底部の先端より前記ハウジング側に位置する」事項（以下、「訂正追加事項」という。）について、以下の点について主張している。
（意見１）　訂正追加事項は、引用例１の段落【００４１】及び図７及び引用例３の図１２に記載されており、本件訂正発明１〜３はこれらの記載より当業者が容易に想到できたものである点。
（意見２）　訂正追加事項により、「耐被水性」という効果を発揮することができないから、本件訂正発明１は、特許法第３６条第６項第１号の要件を満たしていない点。
（意見３）　訂正追加事項は、外側ガス孔の一部が内側カバーの底部の先端よりも先端側に位置するものを排除しておらず、このような構成は、本件明細書、特許請求の範囲及び図面に記載されていないから、本件訂正発明１は、特許法第３６条第６項第１号の要件を満たしていない点。
ア　（意見１）について検討する。
　引用例１の図７の（１）の構成及び引用例３の図１２の構成は、上記（１）イ（オ）で検討したとおり、いずれも比較例として記載されているから、引用例１の図７の（１）の構成と引用例３の図１２の構成とを組み合わせるための動機付けがあるとはいえない。
　そうすると、本件訂正発明１〜３が引用発明１及び引用例３に記載された発明から容易に想到できたとはいえない。
イ　（意見２）について検討する。
　上記（１）イ（カ）で検討したとおり、図７、図８及びその説明に記載された効果は、本件訂正発明１の（Ａ）〜（Ｉ）のすべての構成を有するガス濃度検出センサーが発揮するものであり、図８及びその説明に記載された効果は「耐被水性」に関するものであり、本件訂正発明１の（Ａ）〜（Ｉ）　のすべての構成を有するものが十分な効果が有している点が認められるから、異議申立人のかかる主張は理由がない。
ウ　（意見３）について検討する。
　本件明細書及び図面において、「前記外側カバーは、前記外側カバーの側部に配設された前記外側ガス孔を有しており、該側部に配設された外側ガス孔は、前記内側カバーの底部の先端より前記ハウジング側に位置する」実施例としては、図２ないし図４に記載されているガス濃度検出センサーに関する実施例だけであり、「前記外側カバーは、前記外側カバーの側部に配設された前記外側ガス孔を有しており、該側部に配設された外側ガス孔は、前記内側カバーの底部の先端より前記ハウジング側に位置する」場合に、外側ガス孔の一部が内側カバーの底部の先端よりも先端側に位置する構成を含むものは記載されていない。
　そうすると、「前記外側カバーは、前記外側カバーの側部に配設された前記外側ガス孔を有しており、該側部に配設された外側ガス孔は、前記内側カバーの底部の先端より前記ハウジング側に位置する」との記載は、明細書及び図面の記載を参酌すれば、外側ガス孔の一部が内側カバーの底部の先端よりも先端側に位置する構成を含まないことは明らかであるから、異議申立人のかかる主張は理由がない。
（４）取消理由通知において採用しなかった特許異議申立理由について
　特許異議申立人飯島秀子は、訂正前の特許請求の範囲に関し、特許異議申立書において、請求項１ないし３に記載の発明は、甲第１号証（取消理由通知における引用例１）に記載されたものであるから、特許法第２９条第１項第３号に該当し、特許を受けることができない旨主張しているが、上記（１）アで検討したとおり、甲第１号証（引用例１）には、本件訂正発明１の（Ａ）〜（Ｉ）の構成全てを有するものは記載されていないから、かかる主張は理由がない。
第４　むすび
　以上のとおりであるから、取消理由通知に記載した取消理由及び特許異議申立書に記載した特許異議申立理由によっては、本件請求項１ないし３に係る特許を取り消すことはできない。
　また、他に本件請求項１ないし３に係る特許を取り消すべき理由を発見しない。
　よって、結論のとおり決定する。
【異議決定日】
平成２９年２月１日（２０１７．２．１）
【訂正の要旨】
審決（決定）の【理由】欄参照。
（５７）【特許請求の範囲】
　【請求項１】
　先端が露出した状態でハウジングに保持され、被測定ガスの所定のガス濃度を検出可能なセンサー素子と、
　前記ハウジングに固定され、前記センサー素子の先端を保護する保護カバーと、
　前記保護カバーの構成要素の一つであって、前記センサー素子の先端を覆うと共に前記被測定ガスの流れを許容する内側ガス孔を有する内側カバーと、
　前記保護カバーの構成要素の一つであって、前記内側カバーを覆うと共に前記被測定ガスの流れを許容するが前記内側ガス孔とは対向していない外側ガス孔を有する外側カバーと、
　を備え、
　前記内側カバーのうち前記内側ガス孔が設けられた部分の外径φ１と前記外側カバーのうち前記外側ガス孔が設けられた部分の内径φ２との比φ１／φ２が０．６〜０．９であり、
　前記内側カバーと前記外側カバーとの間に中間保護カバーを備えず、
　前記内側カバーの底部に前記被測定ガスの流れを許容する孔が設けられて
おらず
　前記外側カバーは、該外側カバーの側部に配設された前記外側ガス孔を有しており、該側部に配設された外側ガス孔は、前記内側カバーの底部の先端よりも前記ハウジング側に位置する、
　ガス濃度検出センサー。
　【請求項２】
　前記比φ１／φ２が０．６７〜０．８７である、
　請求項１に記載のガス濃度検出センサー。
　【請求項３】
　前記外側カバーの内径φ２が前記ハウジングの外径と略同じである、
　請求項１又は２に記載のガス濃度検出センサー。